(57)【要約】情報記録媒体（１００）には、複数の種別の装置に夫々対応し、同一コンテンツに関する映像を択一的に表示させるためのデータから夫々成る複数のストリーム（１０２１）と、前記複数のストリームが夫々対応付けられている前記装置の種別の各々を示す装置種別情報（２１００）とが記録されている。これにより、再生環境に適した表示画像を提供することができる。
2008117425.tif 000002
【特許請求の範囲】
【請求項１】
複数の種別の装置に夫々対応し、同一コンテンツに関する映像を択一的に表示させるためのデータから夫々成る複数のストリームと、
前記複数のストリームが夫々対応付けられている前記装置の種別の各々を示す装置種別情報と
が記録されていることを特徴とする情報記録媒体。
【請求項２】
前記複数のストリームは夫々、メニューストリームであることを特徴とする請求の範囲第１項に記載の情報記録媒体。
【請求項３】
前記メニューストリームは、メニュー画面の画面構成を決定するための画面構成データを含み、
前記画面構成データは、前記メニューストリームが対応付けられている装置種別情報に応じている
ことを特徴とする請求の範囲第２項に記載の情報記録媒体。
【請求項４】
前記装置種別情報を一覧として表示させるためのデータが更に記録されていることを特徴とする請求の範囲第１項に記載の情報記録媒体。
【請求項５】
前記装置種別情報は、少なくとも車載プレーヤーを示す情報を含んでいることを特徴とする請求の範囲第１項に記載の情報記録媒体。
【請求項６】
主映像を表示するためのデータから成るストリームと、
複数の種別の装置に夫々対応し、前記主映像に関する副映像を択一的に表示させるためのデータから夫々成る複数のストリームと、
前記複数のストリームが夫々対応付けられている前記装置の種別の各々を示す装置種別情報と
が記録されていることを特徴とする情報記録媒体。
【請求項７】
複数の種別の装置に夫々対応し、同一コンテンツに関する映像を択一的に表示させるためのデータから夫々成る複数のストリームと、前記複数のストリームが夫々対応付けられている前記装置の種別の各々を示す装置種別情報とが記録されている情報記録媒体を再生する再生装置であって、
当該再生装置の種別を示す再生装置情報を格納する格納手段と、
前記情報記録媒体から前記装置種別情報を再生する再生手段と、
前記再生された装置種別情報を参照することで、前記複数の種別のうち前記格納された再生装置情報により示された種別に対応する、前記ストリームを選択する選択手段と、
該選択されたストリームを再生するように前記再生手段を制御する制御手段と
を備えることを特徴とする再生装置。
【請求項８】
前記選択手段は、
前記複数の種別及び前記格納された再生装置情報により示される種別間における相互に類似する度合いを示す類似度の算出を行う類似度算出手段を含み、
前記算出された類似度のうち最大の類似度を有する前記種別に対応する、前記ストリームを選択する
ことを特徴とする請求の範囲第７項に記載の再生装置。
【請求項９】
前記複数のストリームを格納するデータサーバに、ネットワークを介して接続可能な通信手段を更に備え、
前記制御手段は、前記データサーバに前記選択されたストリームが存在するか否かを判定し、前記選択されたストリームが存在すると判定された場合に、前記選択されたストリームを受信すると共に優先して再生するように、前記通信手段及び前記再生手段を制御する
ことを特徴とする請求の範囲第７項に記載の再生装置。
【請求項１０】
前記選択されたストリームを保存する記憶手段を更に備えることを特徴とする請求の範囲第９項に記載の再生装置。
【発明の詳細な説明】
【技術分野】
【０００１】
本発明は、例えばＢＤ（Ｂｌｕ−ｒａｙ  Ｄｉｓｃ）等の情報記録媒体、及び、例えばＢＤプレーヤー等の再生装置に関する。
【背景技術】
【０００２】
この種の情報記録媒体には、例えば、管理領域とデータ領域を有し、該データ領域には、ビデオストリームを構築する主映像情報と、複数のサブピクチャストリームを構築する複数の副映像情報が記録され、管理領域には、複数のサブピクチャストリームを識別させるための属性情報が記録されているものがある。属性情報には、言語の種類を示す特定のコードと、同一の言語でありながら文字のサイズの違い及び又は内容の違いを示す拡張コードが付加されており、データ領域には、特定コード及び拡張コードにより決まる副映像情報のストリームが記録されている（特許文献１参照）。【０００３】
【特許文献１】特開平９−２３１７２６号公報
【発明の開示】
【発明が解決しようとする課題】
【０００４】
しかしながら、上述の背景技術によれば、情報記録媒体を再生する再生装置等の再生環境は、考慮されておらず、例えば車載プレーヤーで再生した場合に、表示されるメニュー画面の文字やボタンが小さく、操作し難い可能性があるという技術的問題点がある。【０００５】
本発明は、例えば上記問題点に鑑みてなされたものであり、再生環境に適した表示画像を提供することができる情報記録媒体及び再生装置を提供することを課題とする。
【課題を解決するための手段】
【０００６】
本発明の第１の情報記録媒体は、複数の種別の装置に夫々対応し、同一コンテンツに関する映像を択一的に表示させるためのデータから夫々成る複数のストリームと、前記複数のストリームが夫々対応付けられている前記装置の種別の各々を示す装置種別情報とが記録されている。【０００７】
本発明の第１の情報記録媒体によれば、例えば、家庭用プレーヤーに適するように構成されたサブピクチャストリーム或いはメニューストリームや、車載プレーヤーに適するように構成されたサブピクチャストリーム或いはメニューストリーム等の複数のストリームが記録されている。ここでストリームは、典型的には、メニュー画面や字幕等の視覚的なデータを含むストリームであるが、これらと並列に音声データを含むオーディオストリームが記録されていてもよい。【０００８】
装置種別情報は、ストリームを識別又は管理する情報であり、複数のストリームの夫々に対して定められており、各ストリームが対応する装置の種別を示している。装置種別情報は、例えば、データエリアとは別の管理情報エリア或いはリードインエリアなどに、パケット化されることなく、まとめて記録される。但し、ストリームと共に、パケット化されてデータエリアに記録されてもよい。【０００９】
ここに本発明に係る「種別」或いは「装置種別」とは、家庭用、車載用、ポータブル等の用途的な分類に限らず、装置に接続されているモニタ等の表示装置の例えば、解像度、画面サイズ、アスペクト比等の表示能力等に係る分類であってもよい。そして、複数のストリームについて、「複数の種別の装置に夫々対応する」とは、典型的には、「奨励されるものとして対応する」の意味であり、例えば車載用に対応するストリームとは、車載用に奨励されるストリームであり、ポータブル用に対応するストリームとは、ポータブル用に奨励されるストリームである。【００１０】
装置種別情報は、一つのストリームに対して、一つ定められていてもよいし、複数定められていてもよい。複数のストリームに対して、同一の装置種別情報が定められている場合は、各ストリーム間で優先順位を定めておけばよい。【００１１】
本願発明者の研究によれば、例えば、ＢＤやＤＶＤ（Ｄｉｇｉｔａｌ  Ｖｅｒｓａｔｉｌｅ  Ｄｉｓｃ）等の情報記録媒体に記録されている映像データは、例えば、家庭用のテレビに表示されることを想定して構成されており、車載プレーヤーやポータブルプレーヤー等が備える比較的小さいモニタでは、文字等が見難い可能性がある。一方、複数の異なる文字サイズデータが記録され、ユーザーの操作により文字サイズを変更可能な情報記録媒体や、表示画像の一部を拡大可能な機能を有する再生装置が存在するが、仮に単に、文字サイズを変更したり、表示画像を拡大したりするだけでは、視認性が悪化したり、美観が損なわれたり、或いは、操作が著しく不便になったりする可能性があることが判明している。【００１２】
例えば、マニュアル操作により、車載プレーヤーでの再生に適した大きな文字サイズへ変更することは可能かもしれないが、この場合、変更操作として、マニュアル操作を行うことになるので、無視し得ない手間が発生してしまう。特に、小さい文字やボタンが表示された状態で、このような変更操作を余儀なくされることが多々起こり得る。【００１３】
しかるに本発明では、複数の種別の装置に夫々対応する複数のストリームが記録されている。このため、再生装置や表示装置に適した文字サイズやレイアウトを有する表示画像を得ることができる。従って、視認性が悪化したり、美観が損なわれたりすることを回避することができる。加えて、タッチパネルである場合には、ボタンの押し間違え等の誤操作を防止することが可能である。特に、小さい文字やボタンが表示された状態で、マニュアル走査によるストリームの変更操作をしないで済むので、実践上、ストレスのかかる状況からユーザーは開放されることになり、極めて有利である。【００１４】
本発明の第１の情報記録媒体の一態様では、前記複数のストリームは夫々、メニューストリームである。【００１５】
この態様によれば、複数の種別の装置に夫々対応した、メニュー用のデータを含む複数のメニューストリームが記録されている。メニューは、コンテンツ選択や各種設定を行う等ユーザーが最も関わる部分の一つであり、各装置に適したメニュー用のデータを予め用意することによって、視認性や操作性の向上を図ることができる。加えて、メニューストリームは、比較的データ量が小さいので、複数のメニューストリームが記録されていたとしても、情報記録媒体の容量全体に対する割合が少なく、映像データ等メインコンテンツに影響を与えることがないので、実用上非常に有利である。【００１６】
この態様では、前記メニューストリームは、メニュー画面の画面構成を決定するための画面構成データを含み、前記画面構成データは、前記メニューストリームが対応付けられている装置種別情報に応じていてもよい。【００１７】
このように構成すれば、装置の種別に応じて、表示される選択肢の数を増減したり、ボタンのサイズを変えたりできるので、実用上非常に有利である。具体的には例えば、比較的小さい表示装置を有する車載プレーヤーでは、選択肢の数を減らし、ボタンサイズを大きくする。更に、選択肢の内容を簡略化してもよい。【００１８】
尚、「画面構成データ」とは、メニュー画面上に表示されるボタンや選択肢の配置、サイズ、内容等を決定するデータである。【００１９】
本発明の第１の情報記録媒体の他の態様では、前記装置種別情報を一覧として表示させるためのデータが更に記録されている。【００２０】
この態様によれば、装置種別情報に基づいて再生装置や表示装置に適したストリームを選択する機能の無い再生装置であったとしても、ユーザーに複数の種別の装置夫々に対応する複数のストリームが記録されていることを通知することができる。【００２１】
複数の装置種別情報を一覧として表示させるためのデータは、当該情報記録媒体を再生装置にセットした際、最初に表示されるように記録されている。【００２２】
尚、再生装置が、装置種別情報に基づいて再生装置や表示装置に適したストリームを選択する機能を有するか否かを判別する判別プログラムが情報記録媒体に記録されていてもよい。このようにすれば、前記機能を有する再生装置であれば、自動的に、再生装置や表示装置に適したストリームを選択し表示することができ、前記機能を有しない再生装置であれば、ユーザーに複数の種別の装置夫々に対応する複数のストリームが記録されていることを通知することができる。【００２３】
本発明の第１の情報記録媒体の他の態様では、前記装置種別情報は、少なくとも車載プレーヤーを示す情報を含んでいる。【００２４】
この態様によれば、少なくとも車載プレーヤーに適したメニュー画面等をユーザーに提供することができる。【００２５】
本発明の第２の情報記録媒体は、上記課題を解決するために、主映像を表示するためのデータから成るストリームと、複数の種別の装置に夫々対応し、前記主映像に関する副映像を択一的に表示させるためのデータから夫々成る複数のストリームと、前記複数のストリームが夫々対応付けられている前記装置の種別の各々を示す装置種別情報とが記録されている。【００２６】
本発明の第２の情報記録媒体によれば、主映像に関する副映像を択一的に表示させるためのデータから夫々成ると共に複数の種別の装置に夫々対応する複数のストリームが記録されているので、再生装置や表示装置に適した文字サイズやレイアウトを有する表示画像を得ることができる。従って、視認性が悪化したり、美観が損なわれたりすることを回避することができる。【００２７】
尚、「複数のストリーム」とは、典型的には、並列記録されている複数のサブピクチャストリームのことであり、例えば、字幕等のデータから成るストリームである。【００２８】
本発明の再生装置は、上記課題を解決するために、複数の種別の装置に夫々対応し、同一コンテンツに関する映像を択一的に表示させるためのデータから夫々成る複数のストリームと、前記複数のストリームが夫々対応付けられている前記装置の種別の各々を示す装置種別情報とが記録されている情報記録媒体を再生する再生装置であって、当該再生装置の種別を示す再生装置情報を格納する格納手段と、前記情報記録媒体から前記装置種別情報を再生する再生手段と、前記再生された装置種別情報を参照することで、前記複数の種別のうち前記格納された再生装置情報により示された種別に対応する、前記ストリームを選択する選択手段と、該選択されたストリームを再生するように前記再生手段を制御する制御手段とを備える。【００２９】
本発明の再生装置によれば、格納手段は、当該再生装置の種別を示す再生装置情報を格納している。尚、格納手段は、典型的には、フラッシュメモリ等の不揮発性メモリであるが、例えば、ハードディスクドライブ等の大容量の記憶装置であってもよい。【００３０】
再生装置情報は、当該再生装置の製造時に格納されてもよいし、ユーザーが、例えば表示装置の表示能力等を考慮して、手動で設定してもよい。或いは、再生装置が、複数の表示装置の情報等を含むライブラリを備えている場合には、表示装置が接続された際に、表示装置を自動的に認識し、最適な再生装置情報を選択して格納するようにしてもよい。更に、ネットワークに接続可能な通信手段を備えている場合には、表示装置が接続された際に、表示装置を自動的に認識し、ネットワーク上に存在する、複数の表示装置の情報等を含むライブラリを有するサーバから最適な再生装置情報を取得して格納するようにしてもよい。【００３１】
例えば、光ピックアップ、サーボシステム等を含んで構成される再生手段は、情報記録媒体を再生する。動作時には、先ず、情報記録媒体に記録されている装置種別情報を再生する。例えば、ＣＰＵ（Ｃｅｎｔｅｒ  Ｐｒｏｃｅｓｓｉｎｇ  Ｕｎｉｔ）である選択手段は、再生された装置種別情報を参照することで、複数の種別のうち格納された再生装置情報により示された種別に対応する、ストリームを選択する。【００３２】
ここで、「再生装置情報により示された種別に対応する」とは、典型的には、装置種別情報と再生装置情報とが一致するという意味であるが、類似する、或いは互換性があるという意味を含んでいてもよい。具体的には例えば、再生装置情報が車載プレーヤーであり、装置種別情報の中に、車載プレーヤーは含まれていないがポータブルプレーヤーが含まれている場合に、ポータブル用に奨励されるストリームを選択してもよい。【００３３】
制御手段は、選択されたストリームを再生するように再生手段を制御する。これにより、情報記録媒体に装置種別情報が記録されてさえいれば、自動的に、再生装置に適したストリームが選択され、再生されることによって、再生装置や表示装置に適した文字サイズやレイアウトを有する表示画像を得ることができる。【００３４】
本発明の再生装置の一態様では、前記選択手段は、前記複数の種別及び前記格納された再生装置情報により示される種別間における相互に類似する度合いを示す類似度の算出を行う類似度算出手段を含み、前記算出された類似度のうち最大の類似度を有する前記種別に対応する、前記ストリームを選択する。【００３５】
この態様によれば、類似度算出手段は、複数の種別及び再生装置情報により示される種別間の類似度を算出する。ここに、本発明に係る「類似度」とは、類似の度合を直接或いは間接的に示していれば足りるものであり、いわば広義の類似度である。このため、所謂「類似度」或いは「狭義の類似度」のみならず、所謂「尤度」又は「距離尺度」も、本発明に係る「類似度」の一例である。類似度は、例えば、一致するものを１００として、違いが大きくなるにつれて０に近づくように設定されている。【００３６】
選択手段は、算出された類似度のうち最大の類似度を有する種別に対応するストリームを選択する。尚、ユークリッド平方距離やマハラノビス距離等により類似度を算出する場合は、一致するものを０として、違いが大きくなるにつれて値が大きくなるので、選択手段は、算出された類似度のうち最小の類似度を有する種別に対応するストリームを選択する。【００３７】
本発明の再生装置の他の態様では、前記複数のストリームを格納するデータサーバに、ネットワークを介して接続可能な通信手段を更に備え、前記制御手段は、前記データサーバに前記選択されたストリームが存在するか否かを判定し、前記選択されたストリームが存在すると判定された場合に、前記選択されたストリームを受信すると共に優先して再生するように、前記通信手段及び前記再生手段を制御する。【００３８】
この態様によれば、制御手段は、ネットワーク上に存在する、例えば、映画制作会社等が提供する複数のストリームを格納するデータサーバに、再生装置にセットされている情報記録媒体に対応し、且つ再生装置情報が示す種別に対応するストリームが存在するか否かを判定する。即ち、選択手段によって選択されたストリームと一致するストリームが存在するか否かを判定する。【００３９】
ここで、「情報記録媒体に対応」とは、情報記録媒体の、例えば、タイトルや制作会社等の識別情報と一致するという意味である。尚、データサーバに格納されているストリームは、典型的には、情報記録媒体販売後に、例えば制作会社等が提供する差分データを含むストリームである。具体的には例えば、レイアウト等の異なるメニュー用のデータや誤植を訂正した字幕データ等である。【００４０】
制御手段は、データサーバに選択されたストリームと一致するストリームが存在すると判定された場合に、データサーバからストリームを受信すると共に、優先して再生するように、通信手段及び再生手段を制御する。この場合、データサーバから選択されたストリームを全て受信した後に再生するようにしてもよいし、或いは、データサーバから選択されたストリームを受信しながら再生するようにしてもよい。【００４１】
尚、例えば、ストリームのデータ量が大きかったり、ネットワークが混雑していたりして、ストリームの受信に所定時間以上かかると判定された場合には、データサーバにストリームが存在することを画面に表示し、ストリームを受信するか否かをユーザーに選択させるようにしてもよい。【００４２】
これにより、データサーバに接続可能でありさえすれば、再生装置や表示装置により適した文字サイズやレイアウトを有する表示画像を得ることができる。加えて、例えば、情報記録媒体の容量の制限により、情報記録媒体に含めることができなかったデータを、ネットワークを介して取得させることによって、実質的な情報記録媒体の容量を増加させることが可能となる。【００４３】
更に、装置種別情報が記録されていない既存の情報記録媒体であったとしても、装置種別情報が記録されている情報記録媒体と同様の効果を得ることができ、実用上非常に有利である。【００４４】
この態様では、前記選択されたストリームを保存する記憶手段を更に備えていてもよい。【００４５】
このように構成すれば、ストリームを毎回データサーバから読み込む必要がなく実用上非常に有利である。【００４６】
記憶手段は、典型的には、ハードディスクドライブ等の大容量記憶装置であり、当該再生装置に固定されていてもよいし、例えば、カード型のハードディスクドライブ等のように着脱可能であってもよい。【００４７】
尚、記憶手段に複数のストリームが格納され、記憶手段の容量が不足する場合には、自動的に、古いストリームから順に消去するようにしてもよい。この場合、情報記録媒体の再生日時順にストリームを並び替えるようにすれば、何度も再生する情報記録媒体に対応したストリームが消去されにくくなる。或いは、記憶手段の容量が不足している旨を表示装置等に表示し、消去するストリームをユーザーに選択させるようにしてもよい。【００４８】
本発明の作用及び他の利得は次に説明する実施するための最良の形態から明らかにされよう。
【図面の簡単な説明】
【００４９】
【図１】第１実施形態に係る情報記録媒体のデータ構造を示す概念図である。
【図２】第１実施形態に係るストリーム属性テーブルの概念図の一例である。
【図３】第１実施形態に係る再生装置の構成を示すブロック図である。
【図４】第１実施形態に係るメモリのデータ構造を示す概念図である。
【図５】第１実施形態に係るプレーヤー状態レジスタを示す概念図の一例である。
【図６】第１実施形態に係るメニューストリームファイルに含まれるデータを再生することによって得られる画像の一例である。
【図７】第１実施形態に係る類似度判定テーブルの概念図の一例である。
【図８】第１実施形態に係る再生装置の動作を示すフローチャートである。
【図９】第２実施形態に係る再生装置及びデータサーバの関係を示す概念図である。
【図１０】第２実施形態に係るデータサーバのデータ構造を示す概念図である。
【図１１】第２実施形態に係る再生装置の動作を示すフローチャートである。
【図１２】第３実施形態に係る情報記録媒体のデータ構造を示す概念図である。
【図１３】テーブルデータファイルに含まれるデータを再生することによって得られる画像の一例である。
【図１４】第３実施形態に係る再生装置の動作を示すフローチャートである。
【符号の説明】
【００５０】
１０  ネットワーク
１００  情報記録媒体
２００  表示装置
３００  再生装置
４００  データサーバ
１００２  テーブルデータファイル
１０２１  ストリームファイル
２０００  ストリーム属性テーブル
２１００  装置種別情報
３０００  プレーヤー状態レジスタ
３１００  再生装置情報
４１１１  更新ストリームファイル
【発明を実施するための最良の形態】
【００５１】
以下、本発明の再生装置に係る実施形態を図面に基づいて説明する。【００５２】
＜第１実施形態＞
本発明の再生装置に係る第１実施形態を、図１乃至図８を参照して説明する。【００５３】
先ず、図１を参照して本実施形態に係る再生装置が再生する情報記録媒体のデータ構造について説明する。図１は、本実施形態に係る情報記録媒体のデータ構造を示す概念図である。【００５４】
図１に示すように、例えばＢＤである、情報記録媒体１００には、ルートディレクトリ１００１の下に、再生リストディレクトリ１０１０やストリームディレクトリ１０２０等の複数のサブディレクトリが繋がっている。そして、複数のサブディレクトリの中に、複数の再生リストファイル１０１１や、メニューストリームファイル１０２１ｍを含む、複数のストリームファイル１０２１等の各種ファイルが、種類毎にまとめて配置されている。【００５５】
再生リストファイル１０１１には、図２に示すような、ストリーム属性テーブル２０００が含まれている。ここに、図２は、ストリーム属性テーブルの概念図の一例である。ストリーム属性テーブル２０００には、複数のストリームファイルが夫々対応する複数の種別の各々を示す装置種別情報２１００が含まれている。尚、ストリーム属性テーブル２０００には、装置種別情報２１００に他に、例えば言語情報等、複数の属性情報が含まれていてもよい。【００５６】
メニューストリームファイル１０２１ｍは、装置種別情報２１００に応じたメニュー画面の画面構成（例えば、配置、文字サイズ、ボタンサイズ、選択肢数等）を決定するための画面構成データを含んでいる。【００５７】
このように、本実施形態に係る情報記録媒体１００には、複数の種別の装置に夫々対応する複数のメニューストリームファイル１０２１ｍと、該複数のメニューストリームファイル１０２１ｍを管理、識別するためのストリーム属性テーブル２０００とが記録されており、再生装置や表示装置に適した文字サイズやレイアウトを有するメニュー画像を提供することができる。【００５８】
次に、図３を参照して本実施形態に係る再生装置の構成について説明する。図３は、本実施形態に係る再生装置の構成を示すブロック図である。【００５９】
図３に示すように、再生装置３００は、情報記録媒体１００、スピンドルモータ３１１、光ピックアップ３１２、サーボシステム３１３、ＣＰＵ３２１、メモリ３２２、ハードディスクドライブ（ＨＤＤ）３２３、データ入出力制御手段３２４、通信手段３２５、表示パネル３３１、及び操作ボタン３３２を備えて構成されている。【００６０】
ここに本実施形態に係る「スピンドルモータ３１１」、「光ピックアップ３１２」、「サーボシステム３１３」及び「ＣＰＵ３２１」は、本発明に係る「再生手段」の一例である。また、本実施形態に係る「ＣＰＵ３２１」は、本発明に係る「選択手段」及び「制御手段」の一例でもある。本実施形態に係る「メモリ３２２」、及び「ハードディスクドライブ３２３」は、夫々、本発明に係る「格納手段」、及び「記憶手段」の一例である。【００６１】
再生装置３００には、プラズマディスプレイ、液晶ディスプレイやＣＲＴ（Ｃａｔｈｏｄｅ  Ｒａｙ  Ｔｕｂｅ）等の表示装置２００が接続されている。尚、表示装置２００は、再生装置３００と一体として構成されていてもよい。【００６２】
通信手段３２５は、例えばＬＡＮ（Ｌｏｃａｌ  Ａｒｅａ  Ｎｅｔｗｏｒｋ）ケーブルや所定の無線通信帯域を有する無線通信ユニットを介してインターネット等の広域ネットワークに接続することが可能である。【００６３】
メモリ３２２には、図４に示すように、再生装置３００の種別を示す再生装置情報３２２ａ、類似度判定テーブル３２２ｂやプレーヤー状態レジスタ３０００等が格納されている。ここに図４は、メモリ３２２のデータ構造を示す概念図である。【００６４】
ここで、図５を参照して、プレーヤー状態レジスタ３０００について説明を加える。図５は、本実施形態に係るプレーヤー状態レジスタを示す概念図の一例である。【００６５】
プレーヤー状態レジスタ３０００には、再生装置３００の動作時に、再生装置情報３２２ａ、及び再生装置３００にセットされている情報記録媒体１００に記録されている装置種別情報２１００のうち再生装置情報３２２ａに対応する装置種別情報２１００が格納される。プレーヤー状態レジスタ３０００は、再生装置情報３２２ａを格納する専用のスペース３１００と、該再生装置情報３２２ａに対応する装置種別情報２１００を格納する専用のスペース３２００とを有している。【００６６】
再生装置情報３２２ａは、再生装置３００の動作時（例えば、電源がオンになった時）に毎回、プレーヤー状態レジスタ３０００に格納されてもよいし、例えばユーザーが再生装置情報３２２ａを設定又は更新した時等に、プレーヤー状態レジスタ３０００に格納されてもよい。【００６７】
単純には、再生装置情報３２２ａは、再生装置３００に固有である一つの種別を示す既定値を持てば足りる。その場合の既定値は、例えば製造時や出荷時に予め記憶され、既定値に対応するストリームを再生する制御を行えばよい。但し、以下に詳述するより高度な制御を行うために、個々の記録媒体に対して、複数の異なる値を持っていてもよい。【００６８】
再生装置３００は、動作時に、先ず、情報記録媒体１００に記録されているストリーム属性テーブル２０００から装置種別情報２１００及び該装置種別情報２１００に対応するメニューストリームファイル１０２１ｍのファイル名を読み込み、一旦メモリ３２２に格納する。次に、ＣＰＵ３２１は、メモリ３２２に格納した装置種別情報２１００の中に、再生装置情報３２２ａに対応する情報が含まれているか否かを判定する。【００６９】
含まれていると判定された場合、ＣＰＵ３２１は、対応する装置種別情報２１００をプレーヤー状態レジスタ３０００の所定のスペース３２００に格納する。続いて、ＣＰＵ３２１は、該所定のスペース３２００に格納された装置種別情報２１００に対応するメニューストリームファイル１０２１ｍを選択して再生するように、光ピックアップ３１２等を制御する。【００７０】
再生されたメニューストリームファイル１０２１ｍに含まれているデータは、ＣＰＵ３２１によってデコード等された後に、データ入出力手段３２３を介して、表示装置２００に表示される。【００７１】
例えば、再生装置情報３１００が高精細度ディスプレイであった場合は、図６（ａ）に示すような、比較的細かくデザインされたメニュー画像が表示される。或いは、例えば、再生装置情報３１００が車載プレーヤーであった場合は、図６（ｂ）に示すような、文字やボタンのサイズが比較的大きくデザインされていたり、選択肢の個数が減っていたり、或いは、選択肢の内容が簡略化されていたりするメニュー画面が表示される。ここに図６は、メニューストリームファイル１０２１ｍに含まれるデータを再生することによって得られる画像の一例である。【００７２】
一方、メモリ３２２に格納した装置種別情報２１００の中に、再生装置情報３２２ａに対応する情報が含まれていないと判定された場合、ＣＰＵ３２１は、典型的には、所定のスペース３２００に既定値を格納して、既定のストリームファイルを選択して再生するように光ピックアップ３１２等を制御する。【００７３】
これにより、自動的に、再生装置３００や表示装置２００に適した文字サイズやレイアウトを有するメニュー画像を得ることができ、視認性や操作性を向上させることが可能となる。【００７４】
尚、再生装置３００に類似度を判定する機能が付与されている場合は、上記判定に代えて、判定された類似度に基づいて、装置種別情報２１００を決定してもよい。具体的には例えば、ＣＰＵ３２１は、図７に示すような類似度判定テーブル３２２ｂに基づいて、最も類似度の高い装置種別情報２１００を、所定のスペース３２００に格納してもよい。ここに、図７は、本実施形態に係る類似度判定テーブル３２２ｂの概念図の一例である。【００７５】
尚、本実施形態では、一致するものを１００として、違いが大きくなるにつれて０に近づくように設定されている。この場合、規定値を中間の値とすることによって、例えば、車載プレーヤーで再生した際に、高精細度ディスプレイ向けのメニュー画面が表示されるということを防止することができる。【００７６】
このように構成すれば、仮に、再生装置情報３２２ａと一致する装置種別情報２１００が含まれていない場合であっても、視認性や操作性を向上させることができるメニュー画面が表示されることになる。一方、制作会社側にとっても、全ての再生装置の夫々に対応するメニューストリームファイルを用意する必要がなくなるので、負担を軽減することができる。【００７７】
次に以上のように構成された再生装置３００の動作を、図８のフローチャートを用いて説明する。【００７８】
図８において、先ず、ＣＰＵ３２１は、情報記録媒体１００に、ストリーム属性テーブル２０００が記録されているか否かを判定する（ステップＳ１０１）。ストリーム属性テーブル２０００が記録されていなければ（ステップＳ１０１：Ｎｏ）、既定のストリームファイルを再生するように光ピックアップ３１２等を制御する。【００７９】
ストリーム属性テーブル２０００が記録されていると判定した場合（ステップＳ１０１：Ｙｅｓ）、続いて、装置種別情報２１００等を読み込み、一旦メモリ３２２に格納する（ステップＳ１０２）。次に、ＣＰＵ３２１は、格納された装置種別情報２１００の中に再生装置情報３２２ａが示す種別に対応する情報が含まれているか否かを判定する（ステップＳ１０３）。【００８０】
含まれていないと判定された場合（ステップＳ１０３：Ｎｏ）、プレーヤー状態レジスタ３０００における所定のスペース３２００に規定値を格納すると共に、既定のストリームファイルを再生するように光ピックアップ３１２等を制御する。【００８１】
含まれていると判定された場合（ステップＳ１０３：Ｙｅｓ）、再生装置情報３２２ａに対応する装置種別情報２１００を、プレーヤー状態レジスタ３０００の所定のスペース３２００に格納すると共に、対応するメニューストリームファイル１０２１ｍを選択して再生するように、光ピックアップ３１２等を制御する。【００８２】
尚、再生装置３００は、例えば、ＢＤ−Ｒ（Ｂｌｕ−ｒａｙ  Ｄｉｓｃ  Ｒｅｃｏｒｄａｂｌｅ）や、ＢＤ−ＲＥ（Ｂｌｕ−ｒａｙ  Ｄｉｓｃ  Ｒｅｗｒｉｔａｂｌｅ）等の記録可能な情報記録媒体にデータを記録する機能を備えていてもよい。即ち、記録再生装置であってもよい。この場合には、ＢＤ−ＲやＢＤ−ＲＥに記録する際に、ストリームファイルを編集又は追加し、装置種別情報２１００を記録することによって、本実施形態に係る情報記録媒体１００と同様の機能を有するように記録してもよい。【００８３】
また、例えば、メニューストリームの属性情報を記述するための予約エリアに、装置種別情報を記述すれば、既存のＢＤ規格に大きな影響を与えることがないので、実用上非常に有利である。【００８４】
尚、ストリームを用いてメニュー表示を行うことを特徴とするＨＤＭＶ（Ｈｉｇｈ  Ｄｅｆｉｎｉｔｉｏｎ  Ｍｏｖｉｅ  Ｍｏｄｅ）モードに限らず、Ｊａｖａ技術を用いてメニュー表示を行うことを特徴とするＢＤ−Ｊモードにおいても、情報記録媒体１００に装置種別情報２１００が記録されてさえいれば、グラフィックデータのプログラミングによって同様の効果を得ることが可能である。【００８５】
また、ＢＤに限らず、ＨＤ  ＤＶＤ（Ｈｉｇｈ−Ｄｅｆｉｎｉｔｉｏｎ  Ｄｉｇｉｔａｌ  Ｖｅｒｓａｔｉｌｅ  Ｄｉｓｃ）やＤＶＤ等にも適用可能である。【００８６】
＜第２実施形態＞
本発明の再生装置に係る第２実施形態を、図９乃至図１１を参照して説明する。第２実施形態では、再生装置の動作が異なる以外は、第１実施形態の構成と同様である。よって、第２実施形態について、第１実施形態と重複する説明を省略する。【００８７】
図９に示すように、再生装置３００は、例えば、インターネット等の広域ネットワークであるネットワーク１０を介して、データサーバ４００に接続されている。ここに図９は、再生装置３００及びデータサーバ４００の関係を示す概念図である。【００８８】
ここで、図１０を参照して、データサーバ４００のデータ構造について説明する。図１０は、本実施形態に係るデータサーバのデータ構造を示す概念図である。図１０に示すように、データサーバ４００には、ルートディレクトリ４００１の下に、情報記録媒体別にデータをまとめる複数の第１サブディレクトリ４１００が繋がっている。そして複数の第１サブディレクトリ４１００の下に、メニューストリームファイル４１１１ｍを含む、ストリームファイル４１１１を装置種別毎にまとめる複数の第２サブディレクトリ４１１０が繋がっている。【００８９】
再生装置３００は、動作時に、先ず、情報記録媒体１００の、例えば、タイトル等の媒体識別情報を読み取り、該媒体識別情報及び再生装置情報３２２ａを示す信号を、ネットワーク１０を介して、データサーバ４００に送信する。【００９０】
次に、データサーバ４００からの、媒体識別情報に対応し、且つ再生装置情報３２２ａが示す種別に対応した、メニューストリームファイル４１１１ｍが存在するか否かを示す信号を受信する。対応するメニューストリームファイル４１１１ｍが存在する場合には、データサーバ４００から対応するメニューストリームファイル４１１１ｍを受信し、ハードディスクドライブ３２３に格納すると共に、プレーヤー状態レジスタ３０００を更新する。次に、ＣＰＵ３２１は、対応するメニューストリーム４１１１ｍを優先して再生する。【００９１】
これにより、仮に、情報記録媒体１００に再生装置情報３２２ａが示す種別に対応したメニューストリーム１０２１ｍが記録されていなくても、データサーバ４００に、対応するメニューファイル４１１１ｍが存在していれば、自動的に、再生装置３００や表示装置２００に適したメニュー画像を得ることができ、視認性や操作性を向上させることが可能となる。【００９２】
次に、以上のように構成された再生装置３００の動作を、図１１のフローチャートを用いて説明する。【００９３】
図１１において、先ず、ＣＰＵ３２１は、ネットワーク１０を介してデータサーバ４００に接続可能か否かを判定する（ステップＳ２０１）。データサーバ４００に接続できない場合（ステップＳ２０１：Ｎｏ）、図８に示す、ステップＳ１０１以下の処理を行う。【００９４】
データサーバ４００に接続できる場合（ステップＳ２０１：Ｙｅｓ）、ＣＰＵ３２１は、光ピックアップ等を制御して、情報記録媒体１００の媒体識別情報を読み込む（ステップＳ２０２）。次に、媒体識別情報及び再生装置情報３２２ａを示す信号を、ネットワーク１０を介して、データサーバ４００に送信する（ステップＳ２０３）。【００９５】
次に、データサーバ４００からの、媒体識別情報に対応し、且つ再生装置情報３２２ａが示す種別に対応した、メニューストリームファイル４１１１ｍが存在するか否かを示す信号を受信し（ステップＳ２０４）、対応するメニューストリームファイル４１１１ｍが存在する場合には（ステップＳ２０４：Ｙｅｓ）、データサーバ４００から対応するメニューストリームファイル４１１１ｍを受信し（ステップＳ２０５）、該受信した対応するメニューストリームファイル４１１１ｍを再生する（ステップＳ２０６）。【００９６】
一方、対応するメニューストリームファイル４１１１ｍが存在しない場合には（ステップＳ２０４：Ｎｏ）、図８に示す、ステップＳ１０１以下の処理を行う。【００９７】
尚、再生装置３００が、例えば、カード型の不揮発性メモリやハードディスクドライブ等の着脱可能な記憶手段に対応した、例えばＵＳＢ（Ｕｎｉｖｅｒｓａｌ  Ｓｅｒｉａｌ  Ｂｕｓ）端子等を備える場合には、例えば、パーソナルコンピュータ等、再生装置３００とは異なる装置を用いて、予め再生装置３００等に適したメニューストリームファイル４１１１ｍを着脱可能な記憶手段に格納し、該記憶手段からメニューストリームファイル４１１１ｍを読み込むようにしてもよい。【００９８】
＜第３実施形態＞
本発明の再生装置に係る第３実施形態を、図１２乃至図１４を参照して説明する。第３実施形態では、情報記録媒体のデータ構造が異なる以外は、第１実施形態の構成と同様である。よって、第３実施形態について、第１実施形態と重複する説明を省略すると共に、図面上における共通箇所には同一符号を付して示し、基本的に異なる点についてのみ、図１２乃至図１４を参照して説明する。図１２は、図１と同趣旨の、第３実施形態に係る情報記録媒体のデータ構造を示す概念図である。【００９９】
図１２に示すように、情報記録媒体１０１には、ルートディレクトリ１００１の中に、本発明に係る「装置種別情報を一覧として表示させるためのデータ」の一例としてのテーブルファイル１００２、及び情報記録媒体１０１を再生する再生装置３００が装置種別情報２１００に基づいて、自動的に、適したメニューストリームファイル１０２１ｍを選択する機能を有するか否かを判別する判別プログラムデータファイル１００３が配置されている。判別プログラムデータファイル１００３は、当該情報記録媒体１０１が、再生装置３００にセットされた際に、最初に読み込まれるように記録されている。【０１００】
再生装置３００は、動作時に、先ず、判別プログラムデータファイル１００３を読み込み、判別プログラムを実行する。当該再生装置３００が前記機能有している場合は、情報記録媒体１０１に再生装置３００に適したメニューストリームファイル１０２１ｍが存在することを条件に、再生装置３００等に適したメニュー画像を表示する。【０１０１】
一方、当該再生装置３００が前記機能を有しない場合は、次に、テーブルデータファイル１００２を読み込み、図１３に示すような画像を表示する。ここに図１３は、テーブルデータファイル１００２に含まれるデータを再生することによって得られる画像の一例である。【０１０２】
これにより、前記機能を有する再生装置３００であれば、自動的に、再生装置３００等に適したメニュー画像を得ることができ、視認性や操作性を向上させることが可能となる。一方、前記機能を有しない再生装置３００であっても、図１３に示すような画像が表示されることによって、ユーザーが再生装置３００等に適したメニュー画像を選択することができ、視認性や操作性を向上させることが可能となる。【０１０３】
ユーザーが手動でメニュー画像を選択した場合、メモリ３２２に情報記録媒体１０１の媒体識別情報が記録されるようにしてもよい。このようにすれば、次回、同一の情報記録媒体１０１を再生装置３００にセットした際に、自動的に、前回選択したメニュー画像を表示することができる。【０１０４】
尚、情報記録媒体１０１に、判別プログラムデータファイル１００３が記録されていない場合は、テーブルデータファイル１００２が、最初に読み込まれるように記録されている。【０１０５】
次に、以上のように構成された再生装置３００の動作を、図１４のフローチャートを用いて説明する。【０１０６】
図１４において、先ず、ＣＰＵ３２１は、光ピックアップ等を制御して、情報記録媒体１０１から判別プログラムデータファイル１００２を読み込み（ステップＳ３０１）、再生装置３００が、装置種別情報２１００に基づいて、自動的に、適したメニューストリームファイル１０２１ｍを選択する機能を有しているか否かを判定する（ステップＳ３０２）。【０１０７】
機能を有していると判定された場合（ステップＳ３０２：Ｙｅｓ）、図８に示す、ステップＳ１０１以下の処理を行う。機能を有していないと判定された場合（ステップＳ３０２：Ｎｏ）、続いて、ＣＰＵ３２１は、光ピックアップ等を制御して、テーブルデータファイル１００２を読み込み、図１３に示すような画像を表示する（ステップＳ３０３）。【０１０８】
尚、本発明は、上述した実施形態に限られるものではなく、請求の範囲及び明細書全体から読み取れる発明の要旨、或いは思想に反しない範囲で適宜変更可能であり、そのような変更を伴う情報記録媒体、及び再生装置もまた、本発明の技術的範囲に含まれるものである。
【図１】
2008117425.tif 000003
【図２】
2008117425.tif 000004
【図３】
2008117425.tif 000005
【図４】
2008117425.tif 000006
【図５】
2008117425.tif 000007
【図６】
2008117425.tif 000008
【図７】
2008117425.tif 000009
【図８】
2008117425.tif 000010
【図９】
2008117425.tif 000011
【図１０】
2008117425.tif 000012
【図１１】
2008117425.tif 000013
【図１２】
2008117425.tif 000014
【図１３】
2008117425.tif 000015
【図１４】
2008117425.tif 000016
【手続補正書】
【提出日】平成20年3月13日(2008.3.13)
【手続補正１】
【補正対象書類名】特許請求の範囲
【補正対象項目名】全文
【補正方法】変更
【補正の内容】
【特許請求の範囲】
【請求項１】
複数の種別の装置に夫々対応して、異なるメニュー画面を表示させるための複数のメニューストリームと、
前記複数のメニューストリームが夫々対応付けられている前記装置の用途によって分類された種別の各々を示す装置種別情報と、
前記装置種別情報及び前記メニューストリーム間の対応を示す対応情報と
が記録されており、
前記メニューストリームは、前記メニュー画面のデザインを決定するための画面構成データを含み、
前記画面構成データは、前記メニュー画面に表示されるボタンのボタンサイズ、及びユーザが選択可能な複数の選択肢のうち少なくとも一方を含み、
前記画面構成データに含まれる前記ボタンサイズ又は前記複数の選択肢の個数は、前記メニューストリームが対応付けられている装置種別情報に応じて夫々異なっている
ことを特徴とする情報記録媒体。
【請求項２】
（削除）
【請求項３】
（削除）
【請求項４】
前記装置種別情報を一覧として表示させるためのデータが更に記録されていることを特徴とする請求の範囲第１項に記載の情報記録媒体。
【請求項５】
前記装置種別情報は、少なくとも車載プレーヤーを示す情報を含んでいることを特徴とする請求の範囲第１項に記載の情報記録媒体。
主映像を表示するためのデータから成るストリームと、
【請求項６】
主映像を表示するためのデータから成るストリームと、
複数の種別の装置に夫々対応して、前記主映像に関する異なるメニュー画面を表示させるための複数のメニューストリームと、
前記複数のメニューストリームが夫々対応付けられている前記装置の用途によって分類された種別の各々を示す装置種別情報と、
前記装置種別情報及び前記メニューストリーム間の対応を示す対応情報と
が記録されており、
前記メニューストリームは、前記メニュー画面のデザインを決定するための画面構成データを含み、
前記画面構成データは、前記メニュー画面に表示されるボタンのボタンサイズ、及びユーザが選択可能な複数の選択肢のうち少なくとも一方を含み、
前記画面構成データに含まれる前記ボタンサイズ又は前記複数の選択肢の個数は、前記メニューストリームが対応付けられている装置種別情報に応じて夫々異なっている
ことを特徴とする情報記録媒体。
【請求項７】
複数の種別の装置に夫々対応して、異なるメニュー画面を表示させるための複数のメニューストリームと、前記複数のメニューストリームが夫々対応付けられている前記装置の用途によって分類された種別の各々を示す装置種別情報と、前記装置種別情報及び前記メニューストリーム間の対応を示す対応情報とが記録されており、前記メニューストリームは、前記メニュー画面のデザインを決定するための画面構成データを含み、前記画面構成データは、前記メニュー画面に表示されるボタンのボタンサイズ、及びユーザが選択可能な複数の選択肢のうち少なくとも一方を含み、前記画面構成データに含まれる前記ボタンサイズ又は前記複数の選択肢の個数は、前記メニューストリームが対応付けられている装置種別情報に応じて夫々異なっている情報記録媒体を再生する再生装置であって、
当該再生装置の種別を示す再生装置情報を格納する格納手段と、
前記情報記録媒体から前記装置種別情報を再生する再生手段と、
前記再生された装置種別情報を参照することで、前記複数の種別のうち前記格納された再生装置情報により示された種別に対応する、前記メニューストリームを前記対応情報に基づいて選択する選択手段と、
該選択されたメニューストリームを再生するように前記再生手段を制御する制御手段と
を備えることを特徴とする再生装置。
【請求項８】
前記選択手段は、
前記複数の種別及び前記格納された再生装置情報により示される種別間における相互に類似する度合いを示す類似度の算出を行う類似度算出手段を含み、
前記算出された類似度のうち最大の類似度を有する前記種別に対応する、前記メニューストリームを選択する
ことを特徴とする請求の範囲第７項に記載の再生装置。
【請求項９】
前記複数のメニューストリームを格納するデータサーバに、ネットワークを介して接続可能な通信手段を更に備え、
前記制御手段は、前記データサーバに前記選択されたメニューストリームが存在するか否かを判定し、前記選択されたメニューストリームが存在すると判定された場合に、前記選択されたメニューストリームを受信すると共に優先して再生するように、前記通信手段及び前記再生手段を制御する
ことを特徴とする請求の範囲第７項に記載の再生装置。
【請求項１０】
前記選択されたメニューストリームを保存する記憶手段を更に備えることを特徴とする請求の範囲第９項に記載の再生装置。
【請求項１１】
前記メニュー画面は、同一コンテンツに関する映像を択一的に表示させるものであることを特徴とする請求の範囲第１項に記載の情報記録媒体。
【請求項１２】
前記デザインは、前記メニューストリームが対応付けられている装置種別情報に応じて異なっていることを特徴とする請求の範囲第１項に記載の情報記録媒体。
【手続補正書】
【提出日】平成21年1月7日(2009.1.7)
【手続補正１】
【補正対象書類名】特許請求の範囲
【補正対象項目名】全文
【補正方法】変更
【補正の内容】
【特許請求の範囲】
【請求項１】
複数の種別の装置に夫々対応して、異なるメニュー画面を表示させるための複数のメニューストリームと、
前記複数のメニューストリームが夫々対応付けられている前記装置の用途によって分類された種別の各々を示す装置種別情報と、
前記装置種別情報及び前記メニューストリーム間の対応を示す対応情報と
が記録されており、
前記メニューストリームは、前記メニュー画面のデザインを決定するための画面構成データを含み、
前記画面構成データは、前記メニュー画面に表示されるボタンのボタンサイズ、及びユーザが選択可能な複数の選択肢のうち少なくとも一方を含み、
前記画面構成データに含まれる前記ボタンサイズ又は前記複数の選択肢の個数は、前記メニューストリームが対応付けられている装置種別情報に応じて夫々異なっている
ことを特徴とする情報記録媒体。
【請求項２】
前記装置種別情報を一覧として表示させるためのデータが更に記録されていることを特徴とする請求項１に記載の情報記録媒体。
【請求項３】
前記装置種別情報は、少なくとも車載プレーヤーを示す情報を含んでいることを特徴とする請求項１に記載の情報記録媒体。
【請求項４】
主映像を表示するためのデータから成るストリームと、
複数の種別の装置に夫々対応して、前記主映像に関する異なるメニュー画面を表示させるための複数のメニューストリームと、
前記複数のメニューストリームが夫々対応付けられている前記装置の用途によって分類された種別の各々を示す装置種別情報と、
前記装置種別情報及び前記メニューストリーム間の対応を示す対応情報と
が記録されており、
前記メニューストリームは、前記メニュー画面のデザインを決定するための画面構成データを含み、
前記画面構成データは、前記メニュー画面に表示されるボタンのボタンサイズ、及びユーザが選択可能な複数の選択肢のうち少なくとも一方を含み、
前記画面構成データに含まれる前記ボタンサイズ又は前記複数の選択肢の個数は、前記メニューストリームが対応付けられている装置種別情報に応じて夫々異なっている
ことを特徴とする情報記録媒体。
【請求項５】
複数の種別の装置に夫々対応して、異なるメニュー画面を表示させるための複数のメニューストリームと、前記複数のメニューストリームが夫々対応付けられている前記装置の用途によって分類された種別の各々を示す装置種別情報と、前記装置種別情報及び前記メニューストリーム間の対応を示す対応情報とが記録されており、前記メニューストリームは、前記メニュー画面のデザインを決定するための画面構成データを含み、前記画面構成データは、前記メニュー画面に表示されるボタンのボタンサイズ、及びユーザが選択可能な複数の選択肢のうち少なくとも一方を含み、前記画面構成データに含まれる前記ボタンサイズ又は前記複数の選択肢の個数は、前記メニューストリームが対応付けられている装置種別情報に応じて夫々異なっている情報記録媒体を再生する再生装置であって、
当該再生装置の種別を示す再生装置情報を格納する格納手段と、
前記情報記録媒体から前記装置種別情報を再生する再生手段と、
前記再生された装置種別情報を参照することで、前記複数の種別のうち前記格納された再生装置情報により示された種別に対応する、前記メニューストリームを前記対応情報に基づいて選択する選択手段と、
該選択されたメニューストリームを再生するように前記再生手段を制御する制御手段と
を備えることを特徴とする再生装置。
【請求項６】
前記選択手段は、
前記複数の種別及び前記格納された再生装置情報により示される種別間における相互に類似する度合いを示す類似度の算出を行う類似度算出手段を含み、
前記算出された類似度のうち最大の類似度を有する前記種別に対応する、前記メニューストリームを選択する
ことを特徴とする請求項５に記載の再生装置。
【請求項７】
前記複数のメニューストリームを格納するデータサーバに、ネットワークを介して接続可能な通信手段を更に備え、
前記制御手段は、前記データサーバに前記選択されたメニューストリームが存在するか否かを判定し、前記選択されたメニューストリームが存在すると判定された場合に、前記選択されたメニューストリームを受信すると共に優先して再生するように、前記通信手段及び前記再生手段を制御する
ことを特徴とする請求項５に記載の再生装置。
【請求項８】
前記選択されたメニューストリームを保存する記憶手段を更に備えることを特徴とする請求項７に記載の再生装置。
【請求項９】
前記メニュー画面は、同一コンテンツに関する映像を択一的に表示させるものであることを特徴とする請求項１に記載の情報記録媒体。
【請求項１０】
前記デザインは、前記メニューストリームが対応付けられている装置種別情報に応じて異なっていることを特徴とする請求項１に記載の情報記録媒体。
【国際調査報告】
2008117425.tif 000017
2008117425.tif 000018
2008117425.tif 000019
2008117425.tif 000020